(57)【特許請求の範囲】
【請求項１】
通知及び／又は雰囲気生成のための照明装置であって、第１の信号を前記照明装置に送信する第１の装置及び前記第１の装置と前記照明装置との間の近接度を検出する近接度検出器を備える照明システムのための照明装置であり、
光出力を行う少なくとも１つの光源と、
前記照明装置の第１の向きを検出する検出器と、
前記第１の装置から前記第１の信号を受信する受信機と、
前記第１の信号及び前記照明装置の前記第１の向きに基づいて第１の光設定を生成し、前記第１の装置が前記照明装置の所定の近接度内にある場合、前記第１の光設定に基づいて前記少なくとも１つの光源の前記光出力を制御するプロセッサとを備え、
さらに、前記検出器は、前記照明装置の向き変更を示すユーザ入力を検出し、前記向き変更に基づき第２の向きを検出し、
さらに、前記プロセッサは、前記第１の信号及び前記照明装置の前記第２の向きに基づき第２の光設定を生成し、前記第１の装置が前記照明装置の前記所定の近接度内にある場合、前記第２の光設定に基づき前記少なくとも１つの光源の前記光出力を制御し、前記第１の向きにおける前記光出力は、前記第２の向きにおける前記光出力とは異なる、
照明装置。
【請求項２】
さらに、前記プロセッサは、受信された前記第１の信号に基づいて複数の光設定を生成し、前記複数の光設定を前記照明装置の複数の向きと関連づけ、前記照明装置の現在の向きに関連づけられた光設定に基づいて、前記少なくとも１つの光源の前記光出力を制御する、請求項１に記載の照明装置。
【請求項３】
前記プロセッサは、複数の受信された前記第１の信号に基づいて前記複数の光設定を決定し、前記複数の光設定を前記照明装置の前記複数の向きに関連付ける、請求項２に記載の照明装置。
【請求項４】
前記照明装置は複数の表面領域を含み、各表面領域は前記照明装置の向きに対応し、前記プロセッサは、前記複数の光設定を前記複数の表面領域に関連付けし、関連づけられた前記光設定に従って、前記各表面領域の前記光出力を制御する、請求項１乃至３のいずれか一項に記載の照明装置。
【請求項５】
前記プロセッサは、前記第１の信号及び前記照明装置の現在の向きに基づいて動的光設定を生成し、前記動的光設定は、複数の時点にわたって分配された一連の光設定によって定められる、請求項１乃至４のいずれか一項に記載の照明装置。
【請求項６】
前記照明装置は、オーディオ効果を生成するオーディオレンダリング要素をさらに備え、さらに、前記プロセッサは、前記照明装置の現在の向き及び前記第１の信号に基づいて前記オーディオレンダリング要素を制御し、それにより、前記現在の向き及び前記第１の信号に依存する前記オーディオ効果を生成する、請求項１乃至５のいずれか一項に記載の照明装置。
【請求項７】
さらに、前記プロセッサは、時間及び／又は日付情報にさらに基づいて、前記少なくとも１つの光源の前記光出力を制御する、請求項１乃至６のいずれか一項に記載の照明装置。
【請求項８】
前記プロセッサは、前記少なくとも１つの光源によって発せられる光が埋め込みコードを含むように、前記少なくとも１つの光源の前記光出力を制御する、請求項１乃至７のいずれか一項に記載の照明装置。
【請求項９】
前記照明装置は、前記ユーザ入力を受信するユーザインタフェースをさらに備え、前記ユーザ入力は、
複数の前記第１の装置から前記第１の装置を選択することと、
前記照明装置の動作モードを選択することと、
を含む群のうちの少なくとも１つを表し、
さらに、前記プロセッサは、受信された前記ユーザ入力に従って前記光源を制御する、請求項１乃至８のいずれか一項に記載の照明装置。
【請求項１０】
前記照明装置は前記近接度検出器を備える、請求項１乃至９のいずれか一項に記載の照明装置。
【請求項１１】
通知及び／又は雰囲気作成のための照明システムであって、
請求項１乃至１０のいずれか一項に記載の照明装置と、
第１の信号を前記照明装置に送信する第１の装置とを備える、
照明システム。
【請求項１２】
通知及び／又は雰囲気作成のための照明装置の制御方法であって、
前記照明装置の第１の向きを検出するステップと、
第１の装置から第１の信号を受信するステップと、
第１の装置と前記照明装置との間の近接度を検出するステップと、
前記第１の信号及び前記照明装置の前記第１の向きに基づいて第１の光設定を生成するステップと、
前記第１の装置が前記照明装置の所定の近接度内にある場合、前記第１の光設定に基づいて前記照明装置の少なくとも１つの光源の光出力を制御するステップと、
前記照明装置の向き変更を示すユーザ入力を検出するステップと、
前記向き変更に基づいて第２の向きを検出するステップと、
前記第１の信号及び前記照明装置の前記第２の向きに基づいて第２の光設定を生成するステップと、
前記第１の装置が前記照明装置の前記所定の近接度内にある場合、前記第２の光設定に基づいて前記少なくとも１つの光源の前記光出力を制御するステップとを含み、前記第１の向きにおける前記光出力は前記第２の向きにおける前記光出力とは異なる、
方法。
【請求項１３】
複数の光設定を照明装置の複数の向きに関連付けるステップと、
前記関連付けを記憶するステップと、
前記照明装置の現在の向きに関連付けられた光設定に基づいて、前記少なくとも１つの光源の前記光出力を制御するステップとをさらに含む、
請求項１２に記載の方法。
【請求項１４】
前記第１の信号は、
前記第１の装置上で動作するアプリケーションと、
前記第１の装置の動作モードと、
前記第１の装置によって生成されるセンサ出力信号と、
前記第１の装置上で動作するアプリケーションによって生成される出力信号と、
前記第１の装置の識別子と、
を含む群のうちの少なくとも１つを示す、請求項１３又は１４に記載の方法。
【請求項１５】
コンピュータプログラムが処理ユニット上で実行されると、請求項１２乃至１４のいずれか一項に記載の方法を実行するためのコンピュータプログラムコードを含む、コンピュータ装置のためのコンピュータプログラム。
【発明の詳細な説明】
【技術分野】
【０００１】
本発明は、光設定の生成による通知及び／又は雰囲気生成のための照明装置及び照明システムに関する。また、本発明は、光設定の生成による通知及び／又は雰囲気生成のための照明装置を制御する方法に関する。本発明はさらに、該方法を実行するためのコンピュータプログラム製品に関する。
【背景技術】
【０００２】
将来及び現在の家庭及び職場環境は、アンビエント、雰囲気、アクセント、又はタスク照明を作り出すための多数の照明装置を備える。これらの制御可能な照明装置は、（無線）ネットワークを介して、又は制御可能な照明装置との物理的インタラクションを介して制御され得る。物理的インタラクションによって制御され得る照明装置の一例が特許出願ＷＯ２００６０３８１３５Ａ１に開示されており、この文献では、携帯照明装置の発光が該照明装置の向きに基づく。家庭や職場環境における（携帯）スマート照明装置の増加、及びＩｏＴ（ｉｎｔｅｒｎｅｔ  ｏｆ  ｔｈｉｎｇｓ）の出現は、照明制御のための新たなインタラクションのパラダイムを提供する。
【０００３】
特許出願ＵＳ２００９０１２２５７１Ａ１は、ＲＦコマンド信号を受信し、情報を表示するように構成された情報インジケータに転送される対応する情報インジケータ制御信号を生成するように構成された処理装置を含むスマートライトにライトコマンド信号を送信するスマートライトコントローラを開示する。処理装置は、スマートライトが特定の方向に向いているときを決定するよう向きセンサと関連付けられ得る。例えば、処理装置は、第１の側又は第２の側が上向きであるかを決定するために向きセンサを使用する。第１の側が上向きであると処理装置が決定し、処理装置が左折信号を受信すると、スマートライトのＬＥＤは左矢印を示すように制御される。あるいは、第２の側が上向きであると処理装置が決定し、処理装置が左折信号を受信すると、スマートライトのＬＥＤは左矢印を示すように制御される。したがって、第１の向き及び第２の向きの光出力は同じである。
【発明の概要】
【０００４】
本発明の目的は、照明装置との物理的インタラクションを介する通知及び雰囲気生成のための新たなインタラクションパラダイムを提供することである。
【０００５】
本発明の第１の態様によれば、上記目的は、通知及び／又は雰囲気のための照明装置であって、
−光出力を行うように構成された少なくとも１つの光源と、
−照明装置の第１の向きを検出するように構成された検出器と、  
−第１の装置から第１の信号を受信するように構成された受信機と、
−第１の信号及び照明装置の第１の向きに基づいて第１の光設定を生成し、第１の光設定に基づいて少なくとも１つの光源の光出力を制御するように構成されたプロセッサとを備え、
検出器は、さらに、照明装置の向き変更を示すユーザ入力を検出し、向き変更に基づき第２の向きを検出するようにさらに構成され、プロセッサはさらに、第１の信号及び照明装置の第２の向きに基づき第２の光設定を生成し、第２の光設定に基づき少なくとも１つの光源の光出力を制御するように構成され、第１の向きにおける光出力は、第２の向きにおける光出力とは異なる、照明装置によって達成される。
【０００６】
プロセッサは、検出器（例えば、ジャイロスコープ、加速度計、磁力計など）によって検出された向き及び第１の装置から受信された第１の信号に基づいて、照明装置の光設定を決定する。これにより、プロセッサは、例えば、第１の装置の動作モード（例えば、設定）に従う光設定を生成することができる。したがって、照明装置は、第１の装置から受信された第１の信号に基づいて光通知を提供し、又は照明装置は、第１の装置の動作モードに従って雰囲気を生成し得る。ユーザは、照明装置の光設定をさらに制御するために、（例えば、照明装置を回転させることによって）照明装置の向きを変更し得る。これは、光設定が第１の装置の設定に従うよう維持される一方、ユーザが照明装置の光通知設定をさらに調整すること（例えば、照明装置によって提供される情報を変更するために）、又は照明装置によって生成される雰囲気を調整することを可能にするため、有益である。この照明装置の別の利点は、光設定が第１の装置の設定に従うよう維持される一方、光設定を調整するためにユーザが遊び心のある感覚的なやり方で照明装置とインタラクトできることである。
【０００７】
照明装置の一実施形態では、プロセッサは、さらに、受信された第１の信号に基づいて複数の光設定を生成し、複数の光設定を照明装置の複数の向きと関連づけ、照明装置の現在の向きに関連づけられた光設定に基づいて、少なくとも１つの光源の出力を制御するように構成される。この実施形態では、プロセッサは、照明装置の複数の異なる向きのために光設定を生成し、それにより、光出力と照明装置の向きとの間の複数の予め定められた関連付けを作成する。プロセッサは、これらの予め定められた関連付けをメモリ内に格納し得る。これは、プロセッサが、向きに基づいて直ちに関連づけにアクセスすることができ、それにより、向きが変わるたびに第１の信号に基づいて光設定を決定する必要を無くすという点で有利であり得る。さらに、ユーザが照明装置の向きを調整することにより、照明設定をより迅速に切り替えることを可能にするので、ユーザ経験が改善される可能性がある。
【０００８】
照明装置のさらなる実施形態では、プロセッサは、さらに、複数の受信された第１の信号に基づいて複数の光設定を決定し、複数の光設定を照明装置の複数の向きに関連付けるように構成される。この実施形態では、プロセッサは、第１の装置から受信される複数の信号に基づき照明装置の複数の向きのために複数の光設定を生成し、それにより、光出力と照明装置の向きとの間の複数の予め定められた関連付けを作成する。プロセッサは、これらの予め定められた関連付けをメモリ内に格納し得る。これは、プロセッサが、向きに基づいて直ちに関連づけにアクセスすることができ、それにより、向きが変わるたびに第１の信号に基づいて光設定を決定する必要を無くすという点で有利であり得る。この実施形態は、第１の装置が、光設定を照明装置の向きとどのように関連づけるかを決定することをさらに可能にし得るので、さらに有利であり得る。
【０００９】
照明装置の一実施形態では、照明装置は複数の表面領域を含み、各表面領域は照明装置の向きに対応する。プロセッサは、複数の光設定を複数の表面領域に関連付けし、それぞれに関連づけられた光設定に従って、各表面領域の光出力を制御するように構成される。光設定は、１つの表面領域のみに（例えば、上向きの表面領域のみに）適用されてもよく、又は複数の光設定が各自の表面領域に適用されてもよい。後者は、ユーザが照明装置の可能な光設定を見ることができるので有利である。これにより、ユーザは、複数の表面領域を介して提供される情報に基づいて、特定の光設定を選択することができる。
【００１０】
照明装置の一実施形態では、プロセッサは、第１の信号及び照明装置の現在の向きに基づいて動的光設定を生成するように構成され、動的光設定は、複数の時点にわたって分配された一連の光設定によって定められる。動的光設定の生成は、雰囲気作成に有利であり得る。さらに、動的照明設定の生成は、例えば、時間に関連する光設定が照明装置の光出力を介して視覚化される場合、通知のために有利であり得る。
【００１１】
照明装置の一実施形態では、照明装置は、オーディオ効果を生成するように構成されたオーディオレンダリング要素をさらに備え、プロセッサは、照明装置の現在の向き及び第１の信号に基づいてオーディオレンダリング要素を制御するようにさらに構成され、それにより、現在の向き及び第１の信号に依存するオーディオ効果を生成する。この実施形態は、オーディオが雰囲気作成及び／又はユーザ通知のための付加的価値を有し得るため、有利である。
【００１２】
照明装置の一実施形態では、プロセッサは、時間及び／又は日付情報にさらに基づいて、少なくとも１つの光源の光出力を制御するようにさらに構成される。時間及び／又は日付に基づいて光出力を調整することは、照明装置によって生成される雰囲気にポジティブな影響を及ぼし得る。さらに、時間及び／又は日付に基づいて光出力を調整することは、照明装置によって生成される通知照明に有益であり得る。
【００１３】
照明装置の一実施形態では、プロセッサは、少なくとも１つの光源によって発せられる光が埋め込みコードを含むように、少なくとも１つの光源の光出力を制御するように構成される。埋め込みコードは、さらなる装置、例えば第１の装置によって検出され、これは、さらなる装置が照明装置を認識／識別することを可能にする。これは、第１の装置が第１の信号を照明装置に送信し、それにより照明装置に（複数の）向きに関連する光出力を設定するために必要な情報を提供することを可能にし得るので、有利であり得る。
【００１４】
照明装置の一実施形態では、照明装置は、ユーザ入力を受信するように構成されたユーザインタフェースをさらに備え、ユーザ入力は、
−複数の第１の装置から前記第１の装置を選択することと、
−照明装置の動作モードを選択することと
を含む群のうちの少なくとも１つを表し、プロセッサはさらに、受信されたユーザ入力に従って光出力を制御するように構成される。ユーザインタフェースは、例えば、タッチパッド又はタッチスクリーンなどのタッチセンサデバイス、マイクロフォンなどのオーディオセンサ、加速度計、磁力計、及び／又はジャイロスコープなどのモーションセンサ、及び／又はユーザ入力を受け取るための１つ以上のボタンを含み得る。この実施形態の利点は、ユーザが第１の装置を選択すること、又は動作モード（オン／オフ、通知モードと雰囲気作成モードとの間の切り替えなど）を選択することを可能にすることである。
【００１５】
本発明の第２の態様によれば、上記目的は、通知及び／又は雰囲気作成のための照明システムであって、
−前記照明装置のうちのいずれかの照明装置に対応する照明装置と、
−第１の信号を該照明装置に送信するように構成された第１の装置とを備える、照明システムによって達成される。
【００１６】
照明システムの一実施形態では、照明システムは、第１の装置と照明装置との間の近接度を検出するように構成された近接度検出器をさらに備え、プロセッサはさらに、第１の装置が所定の検出近接度内にある場合、少なくとも１つの光源の光出力を光設定に従って制御するよう構成される。照明システムのさらなる実施形態では、プロセッサは、複数の第１の装置の近接度に基づき、複数の第１の装置から第１の装置を選択するようにさらに構成され、プロセッサは、選択された第１の装置によって提供される第１の信号に基づき、少なくとも１つの光源の光出力を制御するよう構成される。照明装置と第１の装置との間の近接度に基づいて照明装置の光出力を決定することは、照明装置の機能を決定するために、ユーザが照明装置と第１の装置を近づけることを可能にするので、有利であり得る。
【００１７】
本発明の第３の態様によれば、上記目的は、通知及び／又は雰囲気作成のための照明装置の制御方法であって、
−照明装置の第１の向きを検出するステップと、
−第１の装置から第１の信号を受信するステップと、
−第１の信号及び照明装置の第１の向きに基づいて第１の光設定を生成するステップと、
−第１の光設定に基づいて照明装置の少なくとも１つの光源の光出力を制御するステップと、
−照明装置（１００）の向き変更を示すユーザ入力を検出するステップと、
−向き変更に基づいて第２の向きを検出するステップと、
−第１の信号及び照明装置（１００）の第２の向きに基づいて第２の光設定を生成するステップと、
−第２の光設定に基づいて少なくとも１つの光源（１０２）の光出力を制御するステップとを含み、第１の向きにおける光出力は第２の向きにおける光出力とは異なる、方法によって達成される。
【００１８】
上記方法の実施形態では、方法はさらに、
−複数の光設定を照明装置の複数の向きに関連付けるステップと、
−関連付けを記憶するステップと、
−照明装置の現在の向きに関連付けられた光設定に基づいて、少なくとも１つの光源の光出力を制御するステップとを含み得る。
【００１９】
上記方法の一実施形態では、第１の信号は、第１の装置上で動作するアプリケーションを示す。この実施形態では、第１の装置上で動作するアプリケーション（例えば、ゲームアプリケーション、オフィスアプリケーション、ビデオアプリケーションなど）は、プロセッサが照明装置の複数の向きについてどのように複数の光設定を生成すべきかを決定する。
【００２０】
上記方法の一実施形態では、第１の信号は、第１の装置の動作モードを示す。この実施形態では、第１の装置の動作モード（例えば、暖かい温度に設定されたサーモスタット、アラーム時間に設定された目覚まし時計、カラフルな光出力に設定された照明装置など）は、プロセッサが照明装置の複数の向きについてどのように複数の光設定を生成すべきかを決定する。
【００２１】
上記方法の一実施形態では、第１の信号は、第１の装置によって生成されるセンサ出力信号を示す。この実施形態では、第１の装置から受信されるセンサ出力信号（例えば、人感センサ信号、温度センサ信号、オーディオセンサ信号など）は、プロセッサが照明装置の複数の向きについてどのように複数の光設定を生成すべきかを決定する。
【００２２】
上記方法の一実施形態では、第１の信号は、第１の装置上で動作するアプリケーションによって生成される出力信号を示す。この実施形態では、第１の装置から受信されるアプリケーションによって生成される出力信号（例えば、株式取引アプリケーションからの株価の変化、ビデオアプリケーションからの光レシピ、音楽アプリケーションで再生されている曲など）は、プロセッサが、照明装置の複数の向きについてどのように複数の光設定を生成すべきかを決定する。
【００２３】
上記方法の一実施形態では、第１の信号は、第１の装置の識別子を示す。この実施形態では、第１の装置の識別子（例えば、テレビ識別、電気暖炉識別、電子書籍リーダー識別など）は、プロセッサが照明装置の複数の向きについてどのように複数の光設定を生成すべきかを決定する。
【００２４】
本発明の第４の態様によれば、目的は、コンピュータ装置のためのコンピュータプログラム製品によって達成され、コンピュータプログラム製品は、コンピュータプログラム製品が処理ユニット上で実行されると、上記方法のいずれかを実行するためのコンピュータプログラムコードを含む。
【図面の簡単な説明】
【００２５】
開示される照明装置、照明システム、及び方法の上記及び他の目的、特徴、及び利点は、添付の図面を参照して、以下の例示的かつ非限定的な装置及び方法の実施形態の詳細な説明により、よりよく理解されるであろう。
【図１】図１は、第１の装置から受信された第１の信号に基づき光設定を生成することによる通知及び／又は雰囲気作成のための本発明に係る照明装置の実施形態を概略的に示す。
【図２】図２は、本発明に係る照明装置の実施形態と、検出器がいかに照明装置の向きを検出し得るのかとを概略的に示す。
【図３】図３は、本発明に係る照明装置の実施形態を概略的に示し、照明装置は、照明装置の複数の向きに対応する複数の表面領域を含む。
【図４】図４は、通知及び／又は雰囲気作成のための本発明に係る照明システムの実施形態を概略的に示し、照明システムはさらに、近接度検出器及びメモリを含む。
【図５】図５は、本発明に係る照明装置の一実施形態を概略的に示し、照明装置の光設定は、照明装置の向き、第１の装置から受信される第１の信号、及び第１の装置の近接度に基づく。
【００２６】
全ての図面は概略的であり、必ずしも縮尺通りではなく、通常、本発明を説明するために必要な部分のみを示しており、他の部分は省略されているか又は単に示唆されている。
【発明を実施するための形態】
【００２７】
図１は、通知及び／又は雰囲気作成のための、本発明に係る照明装置１００の実施形態を概略的に示す。照明装置１００は、光出力を行うように構成された少なくとも１つの光源１０２を含む。照明装置１００は、さらに、照明装置１００の第１の向きを検出するように構成された検出器１０４と、第１の装置１１０から第１の信号を受信するための受信器１０６とを備える。また、照明装置１００は、第１の信号及び照明装置１００の第１の向きに基づき第１の光設定を生成し、第１の光設定に基づき少なくとも１つの光源１０２の光出力を制御するように構成されたプロセッサ１０８を備える。検出器１０４は、照明装置１００の向き変更を示すユーザ入力を検出し、向き変更に基づき第２の向きを検出するようにさらに構成される。プロセッサ１０８はさらに、第１の信号及び照明装置１００の第２の向きに基づき第２の光設定を生成し、第２の光設定に基づき少なくとも１つの光源１０２の光出力を制御するように構成される。第１の向きにおける光出力は、第２の向きにおける光出力とは異なる。照明装置１００は、照明装置１００の構成要素に電力を供給するための電源（図示せず）又は補助電源（図示せず）をさらに備え得る。
【００２８】
照明装置１００は、検出された向き及び受信された第１の信号に基づき、少なくとも１つの光源１０２の光出力を行うように構成されたプロセッサ１０８を備える。照明装置１００の少なくとも１つの光源１０２は、光を放射するように構成された任意の種類の光源１０２である。照明装置１００は、ＬＥＤ光源、ＯＬＥＤ光源、白熱光源、蛍光光源などを含むことができる。照明装置１００は、一般照明、タスク照明、周囲照明、雰囲気照明、アクセント照明などを提供するよう構成され得る。照明装置１００は、照明器具又は照明固定具に設置され得る。あるいは、照明装置１００は、携帯照明装置１００（例えば、ＬＥＤキューブ、ＬＥＤスフィア、物体／動物の形をした照明装置１００などの手持ちサイズの装置）又はウェアラブル照明装置１００（ライトブレスレット、ライトネックレスなど）であり得る。
【００２９】
検出器１０４は、照明装置１００の向きを検出するように構成されている。向きとは、３Ｄ空間における向き自由度（ロール、ピッチ、ヨー）に関する特性を指す。図２は、本発明に係る照明装置１００の実施形態と、検出器１０４がいかに照明装置１００の向きを検出し得るのかとを概略的に示す。検出器１０４は、照明装置１００の向きを決定するために、１つ又は複数の向きセンサ（例えば、１つ又は複数の加速度計、１つ又は複数のジャイロスコープ、１つ又は複数の磁力計、１つ又は複数の傾斜センサ、１つ又は複数のコンパスなど）を含むことができる。照明装置１００の向きは、Ｘ、Ｙ及びＺ軸周りの照明装置１００のロール２００、ピッチ２０２、及びヨー２０４によって規定されてもよい。照明装置１００の向きを検出すると、検出器１０４は、向きをプロセッサ１０８に伝えるための信号を生成し得る。プロセッサ１０８は、検出された向き及び第１の信号に基づいて照明装置１００の少なくとも１つの光源１０２の光出力を調整する。第１の例では、第１の信号は、例えばテレビから受信され、９０度のロール２００が検出されると、プロセッサ１０８は、少なくとも１つの光源１０２の光出力をテレビ雰囲気光設定に調整し、また、１８０度のロール２００及び４５度のヨー２０４が検出されると、プロセッサ１０８は、テレビ番組の残り時間に応じて照明装置１００の輝度を低下させることによって、テレビ番組の残り時間の視覚インジケータを提供することを決定し得る。第２の例では、第１の信号は、例えば、レーシングゲームを実行しているゲームコンソールから受信され、９０度のピッチ２０２が検出されると、プロセッサ１０８は、少なくとも１つの光源１０２の光出力をゲーム雰囲気光設定に調整し、また、１８０度のロール２００が検出されると、プロセッサ１０８は、レースカーの速度に応じて照明装置１００の輝度を調整することによって、レースカーの速度の視覚インジケータを提供することを決定し得る。
【００３０】
照明装置１００の受信器１０６は、第１の装置から第１の信号を受信するように構成される。信号は、通信プロトコルを介して送信可能な任意の種類の信号、メッセージ、データパケットなどであってもよい。受信機１０６は、任意の通信プロトコル（例えば、Ｗｉ−Ｆｉ（登録商標）、ＺｉｇＢｅｅ（登録商標）、Ｂｌｕｅｔｏｏｔｈ（登録商標）、ＤＡＬＩ、ＤＭＸ、ＵＳＢ、ＰｏＥ（ｐｏｗｅｒ  ｏｖｅｒ  Ｅｔｈｅｒｎｅｔ（登録商標））、電力線通信など）を介して１つ又は複数のメッセージ、信号、又はデータパケットを受信し得る。照明装置１００が複数の通信チャネル／プロトコルを介して通信するように構成され、それにより、複数の種類の第１の装置１１０からメッセージ、信号、又はデータパケットを受信可能にすることが有益であり得る。
【００３１】
プロセッサ１０８は、さらに、受信された第１の信号に基づいて複数の照明設定を生成し、複数の照明設定を照明装置１００の複数の向きに関連付けるように構成されてもよい。さらに、プロセッサ１０８は、複数の受信された第１の信号に基づいて複数の光設定を決定するように構成されてもよい。次の例は、プロセッサ１０８が複数の照明設定を複数の向きにどのように関連付け得るかを明確にする。
【００３２】
第１の例では、第１の信号は、ソーシャルメディアアプリケーション、音楽アプリケーション、又は画像閲覧アプリケーションなど、第１の装置上で動作しているアプリケーションを示し得る。この例では、各向きは、第１の装置上で実行されるアプリケーションに関連する光設定に関連付けられる。音楽アプリケーションを示す第１の信号の例では、プロセッサ１０８は、例えばディスコライト設定を第１の向きと関連付け、音楽のビートに合わせて拍動するパルス光設定を第２の向きと関連付け、音楽ジャンルに関連する色変化光設定を第３の向きと関連付けることを決定し得る。
【００３３】
第２の例では、第１の信号は、第１の装置の動作モードを示し、例えば、冬モードに設定されたＨＶＡＣシステム（暖房、換気、及び空調制御システム）、スリープモードに設定されたコンピュータ、又は食品加熱モードに設定されたオーブン等である。この例では、各向きは、第１の装置の動作モードに関連する光設定に関連付けられる。食品加熱モードに設定されたオーブンを示す第１の信号の例では、プロセッサ１０８は、例えばオーブンの温度に関連する温度光設定（赤色光と青色光との間）を第１の向きと関連付け、加熱処理の残り時間に関連するタイマー光設定（光出力の輝度を減らす）を第２の向きに関連付け、オーブンのエネルギー消費に関連するエネルギー光設定（緑色光と赤色光との間）を第３の向きと関連付けることを決定し得る。
【００３４】
第３の例では、第１の信号は、光センサ信号、湿度センサ信号、又はソーラーセンサ信号など、第１の装置によって生成されるセンサ出力信号を示し得る。この例では、各向きは、第１の装置によって生成されるセンサ出力信号に関連する光設定に関連付けられる。光センサ信号を示す第１の信号の例では、プロセッサ１０８は、例えば、減少した検出光の量を補償する光設定を第１の向きに関連付け、検出光の量を補完する光設定を第２の向きと関連付け、検出光をコピーするコピー光設定を第３の向きと関連付けることを決定し得る。
【００３５】
第４の例では、第１の信号は、株式取引アプリケーションからの株価の変化など、第１の装置上で動作するアプリケーションによって生成される出力信号を示し得る。この例では、各向きは、第１の装置上で実行されるアプリケーションによって生成される出力信号に関連する光設定に関連付けられる。プロセッサ１０８は、例えば、第１の光設定のための第１の株の第１の値を第１の向きと関連付け、第２の光設定のための第２の株の第２の値を第２の向きと関連付けることを決定し得る。
【００３６】
第５の例では、第１の信号は、テレビ、ラップトップ、又は音楽システムなどの第１の装置の識別子を示し得る。この例では、各向きは、第１の装置の識別子に関連し、第１の装置１１０の特定の動作モード又は第１の装置上で動作するアプリケーションに関連しない光設定に関連付けられる。テレビを示す第１の信号の例では、プロセッサ１０８は、例えば暖光設定を第１の向きと関連付け、減光設定を第２の向きと関連付け、消灯設定を第３の向きと関連付けることを決定し得る。  
【００３７】
上記の種類の第１の信号は例であり、当業者は、添付の特許請求の範囲から逸脱することなく、他の種類の第１の信号に基づいて光設定を生成するように構成された多くの代替的照明装置１００を設計可能である。
【００３８】
図３は、本発明に係る照明装置３００、３０２、３０４の実施形態を概略的に示し、照明装置３００、３０２、３０４は、照明装置３００、３０２、３０４の向きに対応する複数の表面領域を含む。これらの実施形態では、プロセッサ（図示せず）は、複数の光設定を複数の表面領域に関連付けるように構成され、また、プロセッサは、それぞれに関連づけられた光設定に従って、各表面領域の光出力を制御するように構成される。プロセッサは、光設定を１つの表面領域のみに（例えば、上向きの表面領域のみに）適用する、又は複数の光設定を各自の表面領域に適用することを決定し得る。照明装置３００、３０２、３０４は、それぞれが表面領域の光出力を行うように構成された複数の光源１０２を備えることができる。図３に示すキューブ形状の照明装置３００は、６つの向きを有する６つの表面領域を備え、各表面領域は、照明装置３００の向きに対応する。プロセッサは、６つの光設定、各表面領域に対して１つの光設定を関連付け得る。図３に示す角錐形状の照明装置３０２は、４つの表面領域を備え、各表面領域は、照明装置３０２の向きに対応する。プロセッサは、４つの光設定を４つの向きに、各表面領域に対して１つの光設定を関連付け得る。図３に示す円盤形状の照明装置３０４は、２つの表面領域３０６、３０８を備え、各表面領域は、照明装置３０４の向きに対応する。プロセッサは、２つの光設定を２つの向きに、各表面領域に対して１つの光設定を関連付け得る。上記の照明装置３００、３０２、３０４は、本発明を限定ではなく説明するものであり、当業者は、対称性、非対称性、多角形、曲面等の複数の表面領域を有する数多くの代替的照明装置を設計することができる。
【００３９】
プロセッサ１０８は、第１の信号及び照明装置１００の現在の向きに基づいて動的光設定を生成するように構成されてもよい。動的光設定は、複数の時点に分配された一連の光設定である。動的光設定は、例えば、虹色効果（虹の色に対応する照明装置１００の光出力の色の経時変化）であってもよい。動的光設定は、雰囲気生成のために（例えば、照明装置１００の光出力を徐々に調節することによって）、又は通知目的に（例えば、カウントダウン光効果、パルス光効果、明るさ／色の段階的増減など）使用され得る。
【００４０】
一実施形態では、照明装置１００は、オーディオ効果を生成するように構成されたオーディオレンダリング要素をさらに備える。プロセッサ１０８はさらに、照明装置１００の現在の向き及び第１の信号に基づいてオーディオレンダリング要素を制御し、それによって現在の向き及び第１の信号に依存するオーディオ効果を生成するように構成される。オーディオレンダリング要素は、例えば、スピーカ、振動モータなどであってもよい。プロセッサ１０８は、光の設定に従ってオーディオ効果を提供し得る。照明装置１００は、例えば、気象ステーションから晴れていることを示す第１の信号を受信し得る。プロセッサ１０８は、暖かい動的光設定とリラックスするオーディオ効果（例えば、波の音）を第１の向きに関連付け、空色光設定と自然のオーディオ効果（例えば、鳥のさえずり）を第２の向きと関連付けることを決定し得る。別の例では、照明装置１００は起床時間を示す第１の信号を目覚まし時計から受信し得る。プロセッサ１０８は、第１の起床光設定及び第１のオーディオ効果（例えば、明るい光設定を有する平日設定及びクリアなサウンド）を第１の向きに関連付け、第２の起床光設定及び第２のオーディオ効果（例えば、緩やかな光の増加を有する週末設定及び穏やかなサウンド）を第２の向きに関連付けることを決定し得る。さらに、プロセッサ１０８は、オーディオ効果が埋め込みコードを含むようにオーディオレンダリング要素を制御するように構成され得る。埋め込みコード（例えば、オーディオ効果に埋め込まれた情報パケット）は、オーディオレンダリング要素によって発せられるオーディオサウンド内に含まれ得る。照明装置１００のオーディオ機能に関心のあるユーザにとっては、コーディングが知覚できないことが望ましい可能性があり、よって、埋め込みコードは、オーディオレンダリング要素によって発せられる非可聴音に含まれ得る。埋め込みコードは、第１の装置１１０によって検出され、それによって、例えば、選択された光設定及び／又は照明装置１００の向きに関する情報が第１の装置１１０に提供され得る。
【００４１】
一実施形態では、プロセッサ１０８は、時間及び／又は日付情報にさらに基づいて、少なくとも１つの光源１０２の光出力を制御するようにさらに構成される。照明装置１００は、例えば、目覚まし時計から受信された第１の信号及び時刻に基づいて、スリープライト及び起床ライトとして使用されてもよい。夕方には、照明装置１００は、目覚まし時計からの信号を受信すると、複数のスリープライト設定（例えば、青色から赤色に緩やかに変化する光設定、ディム設定など）を提供する一方、同じ照明装置１００が、複数の起床光設定（例えば、スヌーズ光設定、延長スヌーズ光設定、非常に明るい光設定など）を提供し得る起床ライトとして機能し得る。
【００４２】
一実施形態では、プロセッサ１０８は、少なくとも１つの光源１０２によって発せられる光が埋め込みコードを含むように、少なくとも１つの光源１０２の光出力を制御するように構成される。埋め込みコード（例えば、発光に埋め込まれた情報パケット）は、少なくとも１つの光源１０２によって発せられる可視光内に含まれ得る。照明装置１００の照明機能に関心のあるユーザにとっては、コーディングが知覚できないことが望ましい場合がある。埋め込みコードは、第１の装置１１０によって検出され、それによって、例えば、選択された光設定及び／又は照明装置１００の向きに関する情報が第１の装置１１０に提供され得る。
【００４３】
一実施形態では、照明装置１００は、ユーザ入力を受け取るよう構成されたユーザインターフェイスをさらに備える。ユーザインタフェースは、例えば、タッチパッド又はタッチスクリーンなどのタッチセンサデバイス、音声コマンドを検出するためのマイクロフォンなどのオーディオセンサ、加速度計及び／又はジャイロスコープなどのモーションセンサ、及び／又はユーザ入力を受け取るための１つ以上のボタンを含み得る。ユーザ入力は、（例えば、照明装置１００のタッチスクリーン上で第１の装置１１０を選択することによって）複数の第１の装置１１０からある第１の装置１１０を選択することを表し、又は照明装置１００の動作モードを選択すること（例えば、ボタンによる通知モードと雰囲気作成モードとの間の切り替え）を表し得る。ユーザインタフェースは、照明設定がどのように向きに関連付けられるかをユーザが定義することを可能にするようにさらに構成され、それにより、ユーザが照明装置の動作を決定可能であるという利点を提供する。
【００４４】
照明装置１００は、さらなる装置からのユーザ入力信号を受信するようにさらに構成されてもよい。例えばスマートフォン、スマートウォッチ、スマートグラス、ラップトップなどのさらなる装置は、ユーザ入力を受信するように構成され、ユーザ入力は、例えば、複数の第１の装置１１０からのある第１の装置１１０の選択、照明装置１００の動作モードの選択、光設定と向きとの関連付けなどに関連する。
【００４５】
照明装置１００は、少なくとも１つのさらなる照明装置と通信するようにさらに構成されてもよい。照明装置１００は、例えば、照明装置１００の挙動をさらなる照明装置に「コピー」するために、向きと光設定との間でなされた関連付けを伝達することができる。これにより、ユーザは、複数の照明装置を異なる方向に向けることができ、それによって、例えば、ユーザが、第１の照明装置からの雰囲気設定及び第２の照明装置からの通知設定を知覚することを可能にする。追加で又は代替的に、照明装置１００は、自身の現在の光設定をさらなる照明装置に伝達し、さらなる照明装置が第１の照明装置の現在の光設定をコピーすることを可能にし得る。これは、ユーザが照明装置１００の向きを操作することによって複数の照明装置の光出力を制御することを可能にするので有益である。
【００４６】
図４は、通知及び／又は雰囲気作成のための、本発明に係る照明システム４００の実施形態を概略的に示す。図４に示されるように、照明システム４００は、照明装置の向き及びそれに関連づけられた光設定を記憶するように構成されたメモリ４０２をさらに備え得る。メモリ４０２は、照明装置１００に含まれてもよい。あるいは、メモリ４０２は、通信ネットワークを介して照明装置１００に接続されたハブ又はブリッジなどのさらなる装置（図示せず）に含まれてもよい。
【００４７】
図４に示されるように、照明システム４００は、第１の装置１１０と照明装置１００の近接度を検出するよう構成された近接度検出器４０４をさらに備え得る。この実施形態では、プロセッサ１０８は、第１の装置１１０が所定の検出された近接度内にある場合に、光設定に従って少なくとも１つの光源１０２の光出力を制御するようにさらに構成される。追加で又は代替的に、プロセッサ１０８は、複数の第１の装置１１０の近接度に基づき、複数の第１の装置１１０から第１の装置１１０を選択するようにさらに構成されてもよく、照明装置１００は、選択された第１の装置１１０によって提供される第１の信号に基づき、少なくとも１つの光源１０２の光出力を制御するよう構成される。近接度検出器４０４は、照明装置１００、第１の装置１１０、又はさらなる装置に含まれてもよい。近接度は、例えば、第１の信号の受信信号強度（ＲＳＳ）、照明装置１００と第１の装置１１０との間の近距離通信（ＮＦＣ）、屋内測位システムからの位置データ、又は任意の他の種類の近接度検出システムに基づき検出され得る。光設定が第１の装置１１０と照明装置１００との間の近接度に基づいて決定される照明システム４００の一例が図５に示されている。この例では、近接度検出器４０４は、（ホーム）測位システム（図示せず）（例えば、ＲＦビーコン測位システム）に接続された装置の位置を監視する測位システムに含まれる。位置データに基づいて、測位システムは、どの第１の装置１１０が最も近いかを照明装置１００に伝達し得る。図５の例では、ウェアラブル装置５０２は、洗濯機５０４よりも照明装置１００に近い（５０２’＜５０４’）。洗濯機５０４及びウェアラブル装置５０２の両方が、照明装置１００に第１の信号を送信し得る。照明装置１００のプロセッサ（図５には図示されていない）は、近接度５０２’、５０４’に基づき、ウェアラブル装置５０２を選択し、ウェアラブル装置５０２から受信される第１の信号に基づき光出力を制御することを決定し得る。ウェアラブル装置５０２は、例えば、スマートウォッチであってもよい。照明装置１００は、ウェアラブル装置５０２から１つ以上の第１の信号を受信し、照明設定を向きに関連付け得る。例えば、照明装置１００は、スマートウォッチを着用している人の心拍に関連する１つ以上の信号、及びスマートウォッチを介してユーザに提供されるソーシャルメディア通知に関連する１つ以上の信号を受信し得る。照明装置１００のプロセッサは、ユーザの心拍を第１の向き及び第１の光設定（例えば点滅（パルス）赤色光）と関連付け、ソーシャルメディア通知を第２の向き及び第２の光設定（例えば、通知ごとの光の明るさ及び彩度の増加）と関連付けることを決定し得る。ユーザが照明装置１００を洗濯機５０４の方に近づけると、照明装置１００のプロセッサは、洗濯プログラムの残り時間を、第１の向き及び第１の光設定（例えば、残り時間に基づく明るさの減少）に関連付け、洗濯機５０４の電力消費量又は水消費量を、第２の向き及び第２の光設定（例えば、電力消費量に関連して明るさを調整し、水消費量に関連して青色光の彩度を調整する）と関連付けることを決定し得る。
【００４８】
上記実施形態は本発明を限定するものではなく、当業者は添付の特許請求の範囲から逸脱することなく、多くの代替的実施形態を設計することができることに留意されたい。
【００４９】
特許請求の範囲において、括弧間に置かれた参照符号は、請求項を限定するものとして解釈されるべきではない。「含む」という動詞及びその活用形の使用は、請求項に記載された要素又はステップ以外の要素又はステップの存在を排除するものではない。要素に先行する冠詞「ａ」又は「ａｎ」は、複数のかかる要素の存在を排除するものではない。本発明は、複数の別々の要素を含むハードウェアによって、及び適切にプログラムされたコンピュータ又は処理装置によって実施され得る。いくつかの手段を列挙する装置クレームにおいて、これらの手段のうちのいくつかは、同一のハードウェアアイテムによって具現化されてもよい。複数の手段が互いに異なる従属請求項に記載されているからといって、これらの手段の組み合わせが好適に使用することができないとは限らない。
【図１】
0006725899.tif 000002
【図２】
0006725899.tif 000003
【図３】
0006725899.tif 000004
【図４】
0006725899.tif 000005
【図５】
0006725899.tif 000006